Podtech/llm-jp-corpus-v4-ja_patent huggingface dataset:
(57)【要約】【課題】本考案は従来のガラス繊維、カーボン繊維などを充填した材料による単なる射出成形では不足する洋傘骨の剛性の問題を解決し、また高剛性の棒を単にインサート成形した従来の洋傘骨の、デザイン面の制約、錆びなどの問題を解決する。【解決手段】本考案は高剛性の溝地金や鋼線などをあらかじめ押し出し成形または射出成形により合成樹脂で包み込み、これをインサート成形することにより、容易に剛性の高い、錆びなどの発生の少ない高機能な洋傘骨を製造するものである。【選択図】図３
0003129788.tif 000002
【実用新案登録請求の範囲】
【請求項１】
高剛性の棒の一部または全体を内包するように押し出し成型または射出成型した複合材の棒をインサート成型した洋傘骨。
【考案の詳細な説明】
【技術分野】
【０００１】  本考案は、高剛性の棒を内包するよう押し出し成形又は射出成形した複合材の棒をインサート成形した洋傘骨に関する。
【背景技術】
【０００２】  従来の洋傘骨は高剛性の棒が外から見えていた。
【考案の開示】
【考案が解決しようとする課題】
【０００３】  しかし、これでは、高剛性の棒たとえば溝地金やカーボン繊維の棒などが見えて、意匠デザイン上制限されたり、溝地金では錆びや変色が課題となっていた。
【課題を解決するための手段】
【０００４】  そこで、高剛性の棒を、合成樹脂で外側を包み込むように押し出し成形または射出成形した複合材の棒をインサート成形し、デザイン面の制約を解決すると共に、射出成形だけでは不足しがちな剛性の問題、および錆びや変色の問題を解決するものである。
【考案の効果】
【０００５】  よって、本考案の洋傘骨により、色や形状でデザイン上の制約が少なくなると共に、高剛性の棒が押し出し成形または射出成形によりすでに合成樹脂でカバーされているため、この複合材の棒をインサート成形する場合、支持が容易になり、単なる射出成形では不足しがちな剛性を与えることが出来、また洋傘骨として錆びなどの問題が少ない良い機能、良いデザインを併せ持つ洋傘骨が製造できる。
【考案を実施するための最良の形態】
【０００６】  本考案に係る洋傘骨は高剛性の棒を押し出し成形または射出成形により合成樹脂で包み込み、洋傘骨の機能部をこの複合材の棒をインサート射出成形する構造とする。
【図面の簡単な説明】
【０００７】
【図１】従来の洋傘骨の外観図である。
【図２】本考案に係る洋傘骨の外観図である。
【図３】本考案に係る洋傘骨の内包される高剛性剤の位置を示す断面図
【図４】本考案に係る洋傘骨の断面の断面図例
【符号の説明】
【０００８】１      溝地金、鋼線などの高剛性の棒
２      押し出し成形または射出成形された高剛性の棒を包み込んだ部分
３      射出成形された機能部分
【図１】
0003129788.tif 000003
【図２】
0003129788.tif 000004
【図３】
0003129788.tif 000005
【図４】
0003129788.tif 000006
(57)【要約】      （修正有）【課題】充分な保冷効果を得るとともに，食品の水分の蒸発をも防ぐことができる容器を提供する。【解決手段】容器の底部に保冷剤を組み込み中蓋をして，その上に食品を盛り付け，さらに上蓋をする。【選択図】図１
0003129783.tif 000002
【実用新案登録請求の範囲】
【請求項１】
容器の底部に，保冷剤を組み込み容器に上蓋をすることで，刺身・寿司等の生鮮食品を，長時間に亘り低温に保つことができる容器。
【考案の詳細な説明】
【技術分野】
【０００１】  本考案は，刺身・寿司等の生鮮食品を長時間低温に保つための容器に関するものである。
【背景技術】
【０００２】  容器・皿等の下部に保冷剤を挿入するものはあった。
【考案の開示】
【考案が解決しようとする課題】
【０００３】  従来のものでは，保冷効果が充分ではなく，生鮮食品の水分の蒸発等で，長時間新鮮に保つことができなかった。
【課題を解決するための手段】
【０００４】  そこで，容器の底部に保冷剤を組み込み蓋をすることで，保冷効果を上げ水分の蒸発をも防ごうとするものである。
【考案の効果】
【０００５】  よって，本考案の保冷容器に盛り付けた生鮮食品は，長時間に亘り低温に保てるので，花見・ピクニック等行楽にも対応が可能となる。
【考案を実施するための最良の形態】
【０００６】  本考案に係る保冷容器は図１に示すように，容器の底部に保冷剤を組み込み中蓋をして，その上に刺身・寿司等生鮮食品を盛り付け容器の上蓋をすることにより，生鮮食品の水分の蒸発をも防ぎ長時間に亘り鮮度を保つことができるものである。
容器の形状としては，円形・四角形・船形等が考えられる。
容器の素材としては，軽量・丈夫で保冷効果を維持できるものであれば，紙・プラスチック等何でも良いのだが，濡れて変形することも考えられるので，現状では発泡スチロールが良いと思われる。
【図面の簡単な説明】
【０００７】
【図１】  本考案に係る容器を横から見た断面図である。
【図２】  本考案に係る容器を蓋なしの状態で上から見た図である。
【符号の説明】
【０００８】  １．容器
２．保冷剤
３．中蓋
４．上蓋
【図１】
0003129783.tif 000003
【図２】
0003129783.tif 000004
(57)【要約】【課題】本考案は、自動車等に使用されるワイパーゴムの劣化した先端払拭部分を、安全と費用面からワイパーブレードからの取外しや交換が不要で、短時間で容易に再生することができる研磨用具を提供することを目的とする。【解決手段】本考案は、略平面の研磨ベース２を設け、ワイパーゴム先端のガラス接触面を研磨できるようにし、その研磨ベース２に対してガイド１を設け、ワイパーゴム先端のガラス接触面が垂直に接するようにし、従来あった研磨具以上の再生効果を得ることができる。【選択図】図３
0003129786.tif 000002
【実用新案登録請求の範囲】
【請求項１】
ワイパーゴム先端のガラス接触面を研磨するための手段として、研磨ベースを略水平にすることを特徴とする、ワイパーゴム払拭面再生用研磨具。
【請求項２】
請求項１の研磨ベースに対し、ワイパーゴム先端が垂直に接するための手段として、ガイドを設置することを特徴とする、ワイパーゴム払拭面再生用研磨具。
【考案の詳細な説明】
【技術分野】
【０００１】  本考案は、自動車等に使用されるワイパーゴム先端のガラス面接触平面部を研磨し、劣化したワイパーゴムを再生する用具に関するものである。
【背景技術】
【０００２】  従来ワイパーゴムは、使用環境や使用頻度、時間経過による表面の劣化により雨滴払拭能力が衰え交換していた。この場合、ワイパーゴム部品費用、ワイパーゴム交換技術料などが発生し、交換完了するまでの安全性、対処の費用や時間の負担があり面倒であった。【０００３】  上記問題を解決するための、略Ｖ字溝を形成した砥石が公知されている。さらにこのＶ字溝に粗さの異なる砥石を設置した砥石も公知されている。これらの公知例にあっては、双方共にワイパーゴム側面に対し斜めに研磨する為、その払拭能力の再生に関しては大きな効果を期待できるものではなかった。また、双方とも作業者によってはワイパーゴムに対して的確な角度で当該装置を作用させることができず、ワイパーゴムの双方向性動作における払拭効果について大きな差異が生じやすかった。
【特許文献１】  特開２００２−１１６７０号「ワイパーゴム再生用研磨具」
【特許文献２】  登録実用新案第３１１３６１２号「ワイパーブレード羽先保守研磨具」
【考案の開示】
【考案が解決しようとする課題】
【０００４】  本考案は、上述の点に鑑みてなされたもので、従来の研磨器の機能では大きな効果が期待できないという課題、研磨作業者による作業結果の差異が発生する課題を解決する研磨用具を提供することを目的とする。
【課題を解決するための手段】
【０００５】  上記目的を達成するために、本考案の請求項１に係わる、ワイパーゴム払拭面再生用研磨具の研磨ベースを略平面にして、ワイパーゴム先端平面部を水平に研磨することにより、ワイパーゴム先端のガラス接触面と両側面が略直角になることで課題を解決している。【０００６】  上記目的を達成するために、本考案の請求項２に係わる、ワイパーゴム払拭面再生用研磨具に研磨ベースと同等の長さを有し、ワイパーゴム先端を挿入する溝を設けたガイドを設置することにより、容易にワイパーゴム先端と研磨ベースを垂直にすることができることで課題を解決している。
【考案の効果】
【０００７】  以上説明したように本考案の装置は、ワイパーゴム先端平面を研磨ベースとガイドにより、容易に安全安定的に研磨することができるため、必要な時に費用も労力もかけずにワイパーゴムの払拭機能を大きく向上させることができる。
【考案を実施するための最良の形態】
【０００８】  本装置は３つの部品から構成される。研磨ベースは表面に研磨剤が塗布してあり、台座に平面的にフックで固定設置される。ガイドはガイド溝が研磨ベースに対して垂直になるよう台座に対してフックで固定設置される。本装置からガイドをはずすことで、研磨ベース表面の洗浄が可能となる。研磨ベース、ガイドは脱着及び交換が可能である。【０００９】  ガイドは多種多様なワイパーゴムに対応できるよう、ガイド溝の幅と深さは可変式にしてもよい。
【実施例】
【００１０】  以下、添付図面に従って実施例を説明する。図１は本装置の分解図である。ガイド１、研磨ベース２、台座３からなる。ガイド１と台座３は耐久性のプラスティック等適宜素材にて形成されている。研磨ベース２は表面に研磨剤を塗布した防錆金属素材のプレス加工片である。研磨ベース表面は略平面である。【００１１】  台座３に研磨ベース２の研磨剤塗布面がガイド１側になるよう設置し、ガイド１を研磨ベース２にかぶせるように設置した形が図２の本装置の構造である。【００１２】  図３はワイパーゴムＡを本装置のガイド溝Ｂに挿入した時の断面図である。ワイパーゴムＡの先端平面が接触面Ｃにて研磨ベース２の表面に対して水平に接している。ワイパーゴム上の往復矢印は、本装置の作用方向である。【００１３】  台座３の側面を持ちワイパーゴム先端をガイド溝Ｂに挿入し、本装置をワイパーゴムに押し付けるようにして図３の往復矢印方向にワイパーゴムの払拭面全体を研磨するようスライドさせることにより、前述の課題を解決することができる。
【図面の簡単な説明】
【００１４】
【図１】本考案のワイパーゴム払拭面再生用研磨具の分解図である。
【図２】本考案のワイパーゴム払拭面再生用研磨具の斜視図である。
【図３】本考案のワイパーゴム払拭面再生用研磨具にワイパーゴム先端を挿入した時の部分断面図である。
【符号の説明】
【００１５】  １．ガイド
２．研磨ベース
３．台座
Ａ．ワイパーゴム
Ｂ．ガイド溝
Ｃ．接触面
【図１】
0003129786.tif 000003
【図２】
0003129786.tif 000004
【図３】
0003129786.tif 000005
(57)【要約】      （修正有）【課題】エレベータに備わっている扉の制御システムに手を加えることなく、また、専門家でなくても、複数の利用者が容易に利用できるようにする。【解決手段】エレベータに備わっている扉の制御システムを物理的に援用した装置とするため、より以上の安全対策を施すことを最も主要で、また、脱着が簡単であることとする。【選択図】図１
0003129756.tif 000002
【実用新案登録請求の範囲】
【請求項１】
エレベータの扉の開閉は、扉のボタン操作の電気制御により自動的に行われ、扉へのはさみ込みを防ぐため障害物検出装置で障害物を検出し、戸閉動作を停止する機能が備わっている。この障害物検出機能を利用し、戸閉時の戸開口部分に障害物として検出させるため、戸開口部分の形状にあわせた遮閉板を外扉と内扉の空間をまたぐように固定することにより、戸閉を停止させることを特徴とする簡易型エレベータ戸閉制御装置。
【請求項２】
上記遮閉板は、上記エレベータの扉のすき間から落下しないよう厚みをもたせた落下防止装置を備えた遮閉板である請求項１記載の簡易型エレベータ戸閉制御装置。
【考案の詳細な説明】
【技術分野】
【０００１】
本考案は、簡易型エレベータ戸閉制御装置に関するものである。
【背景技術】
【０００２】
現在利用されているエレベータにおいて、扉を開ける時間は制御可能であるが、扉を閉める時間については、扉の延長ボタンを押した時に制御は不可能であるなどの問題があった。
【０００３】
大型荷物をエレベータで運送する場合、ダンボール等エレベータの扉のすき間から落下してしまうものにより扉を閉じる時間を延長して、搬入作業を実施しているなどの問題があった。
【０００４】
エレベータの操作については、扉の開閉ボタン・延長ボタン等については、誤動作させるなどの問題があった。
【０００５】
扉が開いた状態を延長させる扉の延長ボタンがあるが、利用者にとって、扉を閉じる時間の計測については個人差があるため、正確な扉閉鎖の時間がわからないなどの問題があった。下記特許文献１および特許文献２。
【０００６】
利用者の状況により、扉閉鎖の時間間隔が変化するなどの問題があった。下記特許文献３。
【０００７】
エレベータにおいて、この欠点は具体的には大型荷物運送の運行に関して大きな障害である。具体的には、エレベータの扉に物を衝突させる等の破損事故が多発するなどの問題があった。
【０００８】
従来の扉の制御システムで操作を行うためには、セイフティーキーが存在し、扉の開閉を完全に制御する機能がある。しかしながらこの方法でも、エレベータの管理者が緊急等、特別な場合に利用するものであり、複数の利用者が日常的に利用するには複雑かつ不慣れで利用することができなく、正確な操作を確保する必要があるなどの問題があった。
【特許文献１】特開２００３−３４１９６２号公報
【特許文献２】特開２００６−２２５０８０号公報
【特許文献３】実登３０３６２２７号公報
【考案の開示】
【考案が解決しようとする課題】
【０００９】
解決しようとする問題点は、エレベータは扉の開くことに関しては、完全な制御が行われているが、特に時間延長した場合の扉の閉じるタイミングについては、利用者の主観的な時間間隔にゆだねられていることを解決するものである。また、荷物の運搬作業等において、ダンボール等を利用して、戸開状態を作ってエレベータへの搬入作業、搬出作業を行っており、ダンボール等の落下を防止することを解決するものである。さらには、完全な戸開状態を作って装置を設置するため、扉への衝突回避も可能となることを解決するものである。
【００１０】
本考案は、エレベータに備わっている扉の制御システムに手を加えることなく。また、専門家でなくても、複数の利用者が容易に利用できることを解決するものである。
【課題を解決するための手段】
【００１１】
本考案は上記の課題を解決するために、エレベータに備わっている扉の制御システムを物理的に援用した装置とするため、より以上の安全対策を施すことを最も主要な特徴とする。また、脱着が簡単であることも特徴とする。
【考案の効果】
【００１２】
本考案は、エレベータにおいて扉の開閉部分に、はさみ込みを防ぐための障害物検出装置が備え付けられており、これを援用することにより扉の制御を可能とするという利点がある。また、容易、安価に製造することも可能とするという利点がある。
【考案を実施するための最良の形態】
【００１３】
以下本考案の形態を示す図面に基づき説明する。
【００１４】
図１に示す如く、簡易型エレベータ戸閉制御装置の構造を示した正面図である。
【００１５】
図2に示す如く、簡易型エレベータ戸閉制御装置の構造を示した裏面図であり、１〜４は、図１と同様である。
【００１６】
図３に示す如く、エレベータの扉の完全な戸開状態を作って、光式障害物検出装置１５が設置されているエレベータにおいては、光線１７を遮る光遮断位置１６に、また、光式障害物検出装置１５が設置されていないエレベータにおいては、内扉１３の外側にある障害物検出装置１４のいずれの位置でもよく、図３の如く、落下防止装置４をエレベータの外扉１１と障害物検出装置１４の空間１２に挿入し、空間１２をまたぐよう、取手２を使用し磁石あるいは脱着テープ等接着装置３で遮閉板１を、外扉１１に接着した実装正面図である。
【産業上の利用可能性】
【００１７】
エレベータの扉の完全な戸開状態を作って装置を設置するため、扉への衝突回避が可能となり、障害物検出装置では防ぐことが不可能な柔らかい物等の破損事故を防止、また、戸閉するためには脱着する必要があり、目視による障害物の再点検が可能となり、安全性を高める用途にも適用が可能である。
【図面の簡単な説明】
【００１８】
【図１】簡易型エレベータ戸閉制御装置を示した正面図である。
【図２】簡易型エレベータ戸閉制御装置を示した裏面図である。
【図３】簡易型エレベータ戸閉制御装置の実装方法を示した実装正面図である。
【符号の説明】
【００１９】
１・・・遮閉板
２・・・取手
３・・・磁石あるいは脱着テープ等接着装置
４・・・落下防止装置
１１・・外扉
１２・・空間
１３・・内扉
１４・・障害物検出装置
１５・・光式障害物検出装置
１６・・光遮断位置
１７・・光線
【図１】
0003129756.tif 000003
【図２】
0003129756.tif 000004
【図３】
0003129756.tif 000005
【手続補正書】
【提出日】平成18年12月19日(2006.12.19)
【手続補正１】
【補正対象書類名】実用新案登録請求の範囲
【補正対象項目名】全文
【補正方法】変更
【補正の内容】
【実用新案登録請求の範囲】
【請求項１】
エレベータの扉の開閉は、扉のボタン操作の電気制御により自動的に行われ、扉へのはさみ込みを防ぐため障害物検出装置で障害物を検出し、戸閉動作を停止する機能が備わっており、この障害物検出機能を利用し、戸閉時の戸開口部分に障害物として検出させるため、戸開口部分の形状にあわせた遮閉板を外扉と内扉の空間をまたぐように固定することにより、戸閉を停止させることを特徴とする簡易型エレベータ戸閉制御装置。
【請求項２】
上記遮閉板は、上記エレベータの扉のすき間から落下しないよう厚みをもたせた落下防止装置を備えた遮閉板である請求項１記載の簡易型エレベータ戸閉制御装置。
(57)【要約】【課題】ヘルメットのデザインはこれまでシェルのペイントやシールによるものが多くを占め形状が単一なものが多く、奇抜さや、ユニークさを追求したものがこれまでになかった。【解決手段】ヘルメットにかつらを覆うように全体に取り付けることで、これまで一般的に形状が単一であったヘルメットの形状に変化を持たせ、見た目のユニークさ、奇抜さを追求することにより前述の課題を解決しようとするものである。【選択図】図１
0003129752.tif 000002
【実用新案登録請求の範囲】
【請求項１】
ヘルメットのシェルにかつらを取り付けたことを特徴とするかつら装着型ヘルメット。
【考案の詳細な説明】
【技術分野】
【０００１】  本考案は、ヘルメットにかつらを取り付けた、ヘルメットに関するものである。
【背景技術】
【０００２】  ヘルメットのデザインはこれまでシェルのペイントやシールによるものが多くを占めており、また、形状も単一なものが多く、奇抜さや、ユニークさを追求したものがこれまでになかったため。
【考案の開示】
【考案が解決しようとする課題】
【０００３】  ヘルメットにかつらを取り付けることで、これまで一般的に形状が単一であったヘルメットの形状に変化を持たせ、見た目のユニークさ、奇抜さを追求することにより前述の欠点を解決しようとするものである。
【課題を解決するための手段】
【０００４】  本考案は、ヘルメットのシェル部にかつらを取り付けることで前述の課題を解決しようとするものである。
【考案の効果】
【０００５】  かつら型ヘルメットを装着することで、人目を引き視認性が高まり事故防止に役立つ。かつらを取り付けることによる新規さが、ヘルメットをユニークなものにしている。また、かつらを取り付けることで髪の部分が衝撃を吸収することからヘルメットとしての強度も増している。
【考案を実施するための最良の形態】
【０００６】  ヘルメットのシェル部にかつらを取り付ける。かつらはヘルメットに装着できるよう従来のものより大きめのものを使用し、ヘルメットのシェル全体を完全に覆うように取り付ける。また、視界を良好に保つため、ヘルメットにひさしを取り付ける。
【図面の簡単な説明】
【０００７】
【図１】本考案のかつら装着型ヘルメットの実施例を示す正面図である。例として、かつらの髪型はアフロヘアーとする。
【図２】本ヘルメットの側面断面図である。
【符号の説明】
【０００８】１  ヘルメット本体
２  かつら
３  ひさし
４  バンド
【図１】
0003129752.tif 000003
【図２】
0003129752.tif 000004
(57)【要約】      （修正有）【課題】母親との遊び中で正しいフラッシュをすることで脳に刺激を受け、数の概念が感覚的に身につき、付随して脳細胞を活性化し、集中力を引き出し、学習記憶が長時間保持される乳幼児からの教育用フラッシュカードを提供する。【解決手段】一般的に普及している四角型ドッツカードの形状変更（円型）、カードの細工（凸ライン）、線表示（指境界線）等により容易に正しいフラッシュ操作ができる。【選択図】図１
0003129706.tif 000002
【実用新案登録請求の範囲】
【請求項１】
表側は単色又は複数の色及び、模様のドッツを、１から１００までを印し、裏側は０〜１００までの数字及び英語で記した円型乳幼児教育用フラッシュカードである。
【請求項２】
指境界線及び、凸ラインを印したフラッシュ用カードである。
【考案の詳細な説明】
【技術分野】
【０００１】本考案は、母親との遊び中で正しいフラッシュをすることで脳に刺激を受け、数の概念が感覚的に身につく乳幼児からの教育用カードに関する。
【背景技術】
【０００２】現在一般的に広まっている四角型ドッツのカードは正しくフラッシュするための形状、カードの工夫の配慮なく本来の目的が達成しにくい面がある。
【考案の開示】
【考案が解決しようとする課題】
【０００３】このフラッシュカードは新生児から基本的に毎日インプリンティング（刷り込み）をするため正しくフラッシュしなければ逆効果になる場合もあります。【０００４】ここで、ドッツのカードについて説明します。カードにドッツを不規則に並べた１から１００までのカードのことです。【０００５】ここで正しく使用するための３つのポイントは、第１にカードに印した数を正しく見せる。第２に３６０度全ての回転角度で見られることが望ましい。第３に素早くカードを連続して後ろから前に繰り出すこと。【０００６】しかしながら従来の四角型カードを使用している、かなりの方々が誤った使用をしています。第１に仮に１００の数のドッツは、正しく１００を見せなければならない処を、無意識に指でいくつかのドッツを隠す場合があり、実数より少なく見せている。この原因はドッツ１の場合は、カードのほぼ中心にあるために指で隠れませんが、数が増えるにしたがってカード全体（外側）に点在する為に指で隠してしまう事が多い。そのため最初のカードから正しい持ち方を意識させる工夫が必要である。【０００７】またカードを後ろから前に素早く連続して繰り出すためにカードが左右にずれ実数より多く見せている場合もある。この原因はカードの形状が四角型ため、ずれた状態のまま、次のカードが前のカードに重なり、前のカードのドッツも見え実数よりも多く見えそれが繰り返されている。【０００８】第２に四角型カードでは９０度９０度回転になり、３６０度全ての回転角度で見せることができない。【０００９】第３に素早く連続してカードを繰り出だすが、最初はなかなかカードと指が馴染まなく素早く繰り出すのに苦労するために、カードを素早く繰り出せる工夫が必要。
【課題を解決するための手段】
【００１０】本考案は以上３点の課題解決のために、カード形状変更、カード細工、カードに線を表示します。【００１１】第１の課題については、１から１００までのカード全てに指境界線を記し、指が境界線をこえなように最初から意識させることで解決する。【００１２】また左右にずれる課題解決は、カードの形状を円型のカードにすることにより左右に多少のずれがあっても結果的にカードに丸みがあるため手の中央に治まり、左右ずれが解消される。【００１３】第２の課題は、３６０度全ての回転角度で見せるためにカードの形状を円型にすることにより解決する。【００１４】第３の課題は、カード裏側に凸ラインを印すことで親指に若干の引っ掛りができ素早く連続して繰り出すことが容易になる。
【実施例】
【００１５】今回は一般的に普及している四角型ドッツカードを使用中の方に協力していただき、お子様と対面して一度に１０枚の丸型ドッツカードを左手に持ち右手親指で連続して素早く声をだして繰り出した結果今までの課題点が解消され好評を得ました。
【図面の簡単な説明】
【００１６】
【図１】は三角法によるカードの平面図である。
【図２】は三角法によるカードの正面図である。
【図３】はカード表側の指境界線を示した。
【図４】はカード裏側の凸ラインを示した。
【符号の説明】
【００１７】Ａ    指境界線
Ｂ    凸ライン
【図１】
0003129706.tif 000003
【図２】
0003129706.tif 000004
【図３】
0003129706.tif 000005
【図４】
0003129706.tif 000006
【手続補正書】
【提出日】平成18年10月11日(2006.10.11)
【手続補正１】
【補正対象書類名】実用新案登録請求の範囲
【補正対象項目名】全文
【補正方法】変更
【補正の内容】
【実用新案登録請求の範囲】
【請求項１】
乳幼児教育用フラッシュカードとして０から１００迄のカードの表側には色付きドッツ模様を印し、裏側には０から１００までのアラビア数字と英語表記をした丸型１０１枚のフラッシュ用カード。
【請求項２】
ドッツ模様を指で隠すことのないように、表側に指境界線を裏側にはカードを後ろから前に素早く繰り出すことを容易にするために凸ラインを印すことを特徴とする請求項１記載のフラッシュ用カード。
(57)【要約】      （修正有）【課題】手を汚さず、簡単に誰でも出来る、灰と線香の燃え残りを、分離できる処理器を提供する。【解決手段】蓋１と受け皿（網状の受け皿）２本体４の、３点で構成される処理器である。【選択図】図１
0003129708.tif 000002
【実用新案登録請求の範囲】
【請求項１】
線香の灰に、埋もれた燃え残り線香を、手を汚さずに取り出し、処理出来るかである。
（１）蓋を開け、網状の中に、線香の燃え残りかす（灰もイッシヨ）に、いれる。
（２）入れ終わると，蓋を閉じて、左右に振る。
（３）振る事により、網状のなかで、線香の燃え残りと、灰が分かれる。
（４）蓋を開け、網状の受け皿を取り出す。
（５）残りは、綺麗な灰のみとなる。
（６）灰を元の、線香立てに返す。
（７）これにより、手を汚さずに線香の燃え残り粕を、処理できる器を、特徴とした、線香燃え残り処理器。
【考案の詳細な説明】
【考案の詳細な説明】
【産業上の利用分野】
【０００１】この考案は、手を汚さずに、線香の燃え残り粕を、取り出す事が出来ることを、特徴とする。
【背景技術】
【０００２】従来より、燃え残りは、手による方法で処理されていた。
【考案が解決しようとする課題】
【０００３】これは次ぎのような欠点があった。
（イ）手が汚れる。
（ロ）灰が舞い上がる。
（ハ）取りのこしが有る。
本考案は、これらの欠点を除くためになされたものである。
【課題を解決するための手段】
【０００４】蓋（１）を開け、（２）受け皿（網状の受け皿）に、線香残りかす、灰を入れ、（３）蓋を閉じ（４）本体を左右に振ることで、（５）これを分離することを特徴とした処理器です。
【作用】
【０００５】手に直接、灰、線香燃え残りに触れる事無く、分離できる。
【実施例】
【０００６】以下、本考案の実施例について説明する。
（イ）蓋を開け、（ロ）受け皿（網状の受け皿）に、線香の残り粕を、灰が混じったまま入れる、（ハ）蓋を閉じる、（ニ）入れ終わると、本体全体を左右に振る。（ホ）（ヘ）本体を振る事により、線香の燃え残りと、灰が分離される。
【考案の効果】
【０００７】手を汚さず、線香の燃え残りと灰を、分離させ、線香立てに、灰のみ移すこれにより、線香が立てやすくなる。
【図面の簡単な説明】
【図１】本考案の斜視図
【図１】
0003129708.tif 000003
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
容器内網状のくぼみに、線香立てに残った焼け残り灰をこの網状のくぼみにいれて振動させ分離させ別々に取り出しが出来る、容器内で分離でき別々に取り出し出来る事を目的とした器具。
【手続補正３】
【補正対象書類名】明細書
【補正対象項目名】全文
【補正方法】変更
【補正の内容】
【考案の詳細な説明】
【技術分野】
【０００１】本考案は燃え残り線香と灰を容器内で分離出来る器具に関する。
【背景技術】
【０００２】従来手による方法  このため灰埃  手汚れとなる。
【考案が解決するための手段】
【０００３】
【０００４】そこで、残り線香を保持する網状のくぼみに線香立てに残った燃え残り線香灰を容器の網状の中に入れ、容器の蓋（１）を閉じ容器全体を振動させる  これにより網状のくぼみに線香の燃え残り  灰は容器の底にたまる  容器内で分離出来る方法  網状のくぼみに残った線香残りは網状部分が取り出し出来処理できる。
【考案の効果】
【０００５】よって  本考案の容器により、手を汚したり、灰が舞い上がる事が無く、手を汚さず  網状のくぼみ部分（２）は取り出す事が出来洗浄に容易である。
る。
【考案を実施するための最良の形態】
【０００６】本考案に依る  線香燃え残り処理器（１０）は、（２）に示す容器の網状のくぼみに、線香燃え残り、灰をそのまま入れる  それから蓋（１）を閉じ容器  （１０）全体を振動させる、振動により容器内部で線香燃え残りと灰が  網状のくぼみ（２）で分離される、分離後  （２）の網状のくぼみ部を取り出す。
【図面の簡単な説明】
【０００７】
【図１】本考案に依る  線香燃え残り処理器の断面である。
【図２】本考案に依る  組み合わせ図である。
【符号の説明】
【０００８】１．    容器の蓋
２．    網状のくぼみ
３．    容器本体
１０．  線香燃え残り処理器
Ｔ．    線香燃え残りと灰
【手続補正４】
【補正対象書類名】図面
【補正対象項目名】全図
【補正方法】変更
【補正の内容】
【図１】
0003129708.tif 000004
【図２】
0003129708.tif 000005
(57)【要約】【課題】種々の図柄の反射模様の美しさを容易に体験できるようにし、しかも創作性を発揮できる範囲を広くした図工美術教材を提供する。【解決手段】容器底面の反射素材上で、弾力性のある反射板を単一形体や複数形体でパズルのように隙間なく組み合わせて、反射素材や反射板の図柄の反射模様を楽しめるようにしたことを特徴とする。【選択図】図１
0003129710.tif 000002
【実用新案登録請求の範囲】
【請求項１】
反射素材の台紙が敷かれた容器内を、弾力性のある鏡面加工された素材で涙形、三角形、四角形、丸形等に形成された反射板を単一形体又は複数形体でパズル状に組み合わせて埋め尽くす。複数の反射板と反射素材の台紙の組み合わせによって、反射板や台紙の図柄を複雑な反射模様として作り出す仕組みを特徴とする図工美術教材。
【請求項２】
前記の容器内の反射板を組み替えることで、多彩な反射模様を作ることができる特徴をもつ請求項１記載の図工美術教材。
【請求項３】
前記の容器底面を金属等の反射素材で形成し、ひとつひとつの反射板の内側を裏面から凸面状に底面の反射素材を押し出すことで形成し、反射板と底面の反射素材の凸面で多彩な反射模様を作ることができ、更に凸面に映り込む反射模様を様々な方向から鑑賞できる特徴をもつ請求項１記載の図工美術教材。
【考案の詳細な説明】
【技術分野】
【０００１】本考案は図柄の反射模様による変化を楽しんだり、学習する教材に関するものである。
【背景技術】
【０００２】従来この種の教材としてはアルミ円柱の反射板を台紙上に立て、台紙に描かれた歪んだ画像（虚像）をアルミ円柱に正像として映しだすアナモルフォーシス（歪み絵）やアルミ円柱だけを並べて台紙の図柄の反射模様を楽しむものがあった。
【考案の開示】
【考案が解決しようとする課題】
【０００３】台紙に描かれた歪んだ画像（虚像）を、アルミ円柱に正像として映し出すアナモルフォーシス（歪み絵）は、技術的に難しく児童生徒の学習には難易度が高すぎた。また、アルミ円柱を台紙上に並べて固定するだけでは反射模様の変化に乏しく、創作の自由度も少ないという問題があった。
【考案を解決するための手段】
【０００４】このような課題を解決するための本考案の教材は、反射素材の台紙が敷かれた容器内を弾力性のある素材で涙形、三角形、四角形、丸形等に形成した反射板（１）（２）（３）で単一形体或いは複数形体でパズル状に埋め尽くし構成する。反射板は組み替え可能である。台紙や反射板には図柄を付ける。
【０００５】前記容器の底面を反射素材で形成し、パズル状に埋め尽くされたひとつひとつの反射板の内側を裏面から押し出し底面の反射素材（７）で凸面を形成する。底面や反射板には図柄を付ける。
【考案の効果】
【０００６】容器内を埋め尽くした弾力性のある涙形、三角形、四角形、丸形等の複数の反射板と底面の反射素材の組み合わせによって、底面や反射板の図柄の多彩な反射模様を楽しむことができる。様々な形体や弾力性で歪んだ反射板は円柱の反射板に比べて表面に変化があるので、より反射模様の変化が楽しめる。また、底面の反射素材を反射板内側で凸面状に形成することであらゆる方向から反射模様が楽しめる。涙形等の簡単な形状の反射板は児童生徒にも形成が容易であり、反射板に弾力性があるので隙間なくフレキシブルに組み合わされ一定面積を埋めることができる。隙間なく一定面積を埋めることができるので反射板を入れる容器の形状は自由に選択できる。完成後、反射板の位置を入れ替えることでも様々な反射模様の変化を作り出すことができる。反射板を様々な形体に形成することで複雑な反射模様が得られるため創作の自由度を増すことができ、アクリル等の透明容器を利用すれば、反射模様の美しさを楽しむ装飾品としても活用できる。児童生徒の学習状況に応じて台紙の素材や図柄を替えて楽しむこともできるため、創造性や独創性を多岐に発揮できる教材として有用である。
【考案を実施するための最良の形態】
【０００７】以下、本考案の実施例について説明する。
（イ）反射素材を使用した台紙（５）を入れた容器（４）又は底面を金属等の反射素材で形成した容器（６）の中に弾力性のある涙形、三角形、四角形、丸形等の反射板（１）（２）（３）を単一形体又は複数形体で隙間なく組み込んだ構造である。台紙や反射板には図柄を付ける。
（ロ）反射板を入れる容器（４）（６）の形状は自由に選択できる。
本考案は基本的に以上のような構成である。【０００８】この実施例にかかわる図工美術教材を作成する時は先ず、アクリル等の容器（４）を準備する。反射素材の台紙や反射板に図柄を作成する。弾力性があり鏡面加工された金属や樹脂板等を曲げたり折ったりして接着剤やホチキス等で固定し、涙形、三角形、四角形、丸形等の反射板（１）（２）（３）を形成する。反射板は弾力性があるので容器を隙間なく埋める。容器がいっぱいになるまで反射板（単一形体又は複数形体）を作る。反射板（１）（２）（３）は大きさや形によって容器を埋める数が変わる。弾力性のある反射板は、どこの位置に組み替えてもフレキシブルに隙間を埋めるので図柄の反射模様を自由に創作できる。【０００９】底面が柔軟性のあるアルミ等の反射素材で形成された容器（６）では、組み込まれたひとつひとつの反射板の内側を容器裏面側から指や棒で凸面状に反射素材を押し出し（７）、反射板と底面の反射素材の表面の形状の変化で多彩な反射模様を作り出すと共に凸面に周りの反射板の図柄等が映り込み、真上を始めとしてあらゆる方向から反射模様の変化を見て楽しむことができる。【００１０】また、別の反射模様を楽しみたい時は、反射板の２重（２）・３重の形成、台紙の図柄や素材（紙、布、セロハン、金属、樹脂等）を変える、底面の反射素材の凸面の形状を変化させる、容器にビーズ等を入れたりする、などで児童生徒の興味や学習状況に応じて適宜変更可能であり、創意工夫の範囲が拡大させられる。
【図面の簡単な説明】
【００１１】
【図１】本考案の使用例の斜視図である。
【図２】本考案の部品図（反射板の例）である。
【図３】本考案の台紙使用時の断面図である。
【図４】本考案の容器底面を反射素材で形成時の断面図である。
【符号の説明】
【００１２】１  反射板（涙形）
２  反射板（涙形２重）
３  反射板（三角形）
４  容器
５  台紙
６  容器（底面を反射素材で形成）
７  底面（反射素材）
【図１】
0003129710.tif 000003
【図２】
0003129710.tif 000004
【図３】
0003129710.tif 000005
【図４】
0003129710.tif 000006
【手続補正書】
【提出日】平成18年10月8日(2006.10.8)
【手続補正１】
【補正対象書類名】実用新案登録請求の範囲
【補正対象項目名】全文
【補正方法】変更
【補正の内容】
【実用新案登録請求の範囲】
【請求項１】
容器内に敷かれた反射素材の台紙と容器内を埋め尽くした涙形、三角形、四角形、丸形等に形成された弾力性のある反射板の組合せで、多彩な反射模様を作り出す仕組みを特徴とする図工美術教材。
【請求項２】
前記の容器内の反射板を組み替えることで多彩な反射模様を作ることができる特徴をもつ請求項１記載の図工美術教材。
【請求項３】
前記の容器底面を反射素材で形成し、反射板の内側を凸面に形成することで多彩な反射模様を作ることができる特徴をもつ請求項１記載の図工美術教材。
(57)【要約】      （修正有）【課題】化粧用綿は、複数枚をブロック状に束ねたものであっても、一枚、一枚、確実に取り出すことができる化粧用綿の包装方法を提供する。【解決手段】適宜の厚みを有し、適当な大きさにカットされた化粧用綿を、複数枚、ブロック状に束ねて包装する場合において、一の化粧用綿１とそれに隣接する化粧用綿２との一辺の位置を、交互にズラして化粧用綿の両側面に凹凸が形成されるように束ねて包装することを特徴とする化粧綿から構成され、また、適宜の厚みを有し、適当な大きさにカットされた化粧用綿を、包装容器に複数束を収納するに際し、一の化粧用綿１とそれに隣接する化粧用綿２との一辺の位置を、交互にずらして化粧用綿の両側面に凹凸が形成されるように束ね、これらを並設して包装することを特徴とする化粧綿からなるものである。【選択図】図２
0003129776.tif 000002
【実用新案登録請求の範囲】
【請求項１】
適宜の厚みを有し、適当な大きさにカットされた化粧用綿を、複数枚、ブロック状に束ねて包装する場合において、一の化粧用綿（１）とそれに隣接する化粧用綿（２）との一辺の位置を、交互にずらして化粧用綿の両側面に凹凸が形成されるように束ねて包装することを特徴とする化粧綿。
【請求項２】
適宜の厚みを有し、適当な大きさにカットされた化粧用綿を、包装容器（３）に複数束を収納するに際し、一の化粧用綿（１）とそれに隣接する化粧用綿（２）との一辺の位置を、交互にずらして化粧用綿の両側面に凹凸が形成されるように束ね、これらを並設して包装することを特徴とする化粧綿。
【考案の詳細な説明】
【技術分野】
【０００１】
この考案は、化粧用綿に関するものである。
【背景技術】
【０００２】
従来、化粧用綿は、矩形で、適宜な厚みを有しており、化粧を落とす際に、顔に塗った化粧品を拭き取ったり、化粧水を付けたりする際に使用されるものであり、女性の化粧には特に欠かせないものである。
【０００３】
しかしながら、この化粧用綿は、複数枚を束ねてブロック状にして包装されており、箱や袋から一枚、一枚、取り出して使用する場合には、二枚を一緒に取り出してしまったり、一枚の半分程度の厚みのまま取り出してしまったりして結構煩雑なものであり、急いでいる場合には特に煩雑であった。
【０００４】
また、これらの不便を解消するために、化粧用綿の両端を圧縮したものが存在するが、見た目に安価な印象を与えてしまい、やはり、矩形の周囲まで同一の厚みを有する化粧用綿の方が、保水に対して安定感があるように見受けられる。
【考案の開示】
【考案が解決しようとする課題】
【０００５】
そこで、この考案は、化粧用綿は、複数枚をブロック状に束ねたものであっても、一枚、一枚、確実に取り出すことができる化粧用綿を開発・提供することにある。
【課題を解決するための手段】
【０００６】
そして、この考案は、複数枚の化粧用綿をブロック状に重ね・束ねたものにおいて、各化粧用綿の一辺を、隣接する化粧用綿の一辺と所定の幅ほどズラして交互に重ね合わせて束ねることにより、その束より一枚の化粧用綿を取り出し易くしたものである。
【考案の効果】
【０００７】
この考案によると、適宜の厚みを有し、適当な大きさにカットされた化粧用綿を、複数枚、ブロック状に束ねて包装する場合において、一の化粧用綿（１）とそれに隣接する化粧用綿（２）との一辺の位置を、交互にズラして化粧用綿の両側面に交互に凹凸が形成されるように束ねて包装することにより、各化粧用綿の一枚の厚みが容易に把握でき、一枚づつ束より取り外すことが出来、さらに、包装容器に収納した場合にも、ズラして入れることにより、包装容器（３）の中空間に化粧用綿（１）の束とが密着して収納できるため、輸送中に片寄ることもない等極めて有益なる効果を奏する。
【考案を実施するための最良の形態】
【０００８】
この考案の好適な実施例を図面により詳述すると、図１はこの発明にかかる化粧用綿の積み重ねた状態を示す斜視図であり、図２は、複数の化粧用綿を積み重ねてブロック状態とした斜視図であり、図３は、（ａ）（ｂ）ともに、ブロック状に束ねた化粧用綿を包装容器内に収納した状態の断面図である。
【０００９】
適宜の厚みを有し、適当な大きさにカットされた化粧用綿を、複数枚、ブロック状に束ねて包装する場合において、一の化粧用綿（１）とそれに隣接する化粧用綿（２）との一辺の位置を、交互にずらして化粧用綿の両側面に凹凸が形成されるように束ねて包装することを特徴とする化粧綿からなり、また、適宜の厚みを有し、適当な大きさにカットされた化粧用綿を、包装容器（３）に複数束を収納するに際し、一の化粧用綿（１）とそれに隣接する化粧用綿（２）との一辺の位置を、交互にずらして化粧用綿の両側面に凹凸が形成されるように束ね、これらを並設して包装することを特徴とする化粧綿からなるものである。
【実施例】
【００１０】
そこで、この考案の化粧綿を図面により詳述すると、適宜の厚みを有し、適当な大きさにカットされた化粧用綿を、複数枚、ブロック状に束ねて包装する場合において、一の化粧用綿（１）とそれに隣接する化粧用綿（２）との一辺の位置を、交互にずらして化粧用綿の両側面に凹凸が形成されるように束ねて包装することを特徴とする化粧綿から構成される。
【００１１】
次に、この考案の別の実施例を詳述すると、適宜の厚みを有し、適当な大きさにカットされた化粧用綿を、包装容器（３）に複数束を収納するに際し、一の化粧用綿（１）とそれに隣接する化粧用綿（２）との一辺の位置を、交互にずらして化粧用綿の両側面に凹凸が形成されるように束ね、これらを並設して包装することを特徴とする化粧綿からなるものである。
【産業上の利用可能性】
【００１２】
この考案は、化粧用綿の包装方法の技術を確立し、かつ、実際に装置を製造し、使用することにより、産業上の利用可能性を有する。
【図面の簡単な説明】
【００１３】
【図１】この考案の使用方法を示す斜視図である。
【図２】この考案の他の実施例を示す斜視図である。
【図３】この考案に使用するブロック状に束ねた化粧用綿を包装容器内に収納した状態を示し、（ａ）（ｂ）はいずれも収納状態を示す断面図である。
【符号の説明】
【００１４】
１  化粧用綿
２  隣接する化粧用綿
３  包装容器
【図１】
0003129776.tif 000003
【図２】
0003129776.tif 000004
【図３】
0003129776.tif 000005
【手続補正書】
【提出日】平成18年12月20日(2006.12.20)
【手続補正１】
【補正対象書類名】実用新案登録請求の範囲
【補正対象項目名】全文
【補正方法】変更
【補正の内容】
【実用新案登録請求の範囲】
【請求項１】
５ｍｍ程度の厚みを有し、５．５ｍｍ×７ｍｍ程度の矩形状の化粧用綿であって、この化粧用綿を、複数枚、ブロック状に束ねて包装体とし、一つの化粧用綿（１）とそれに隣接する化粧用綿（２）との一辺の位置を、交互にずらして化粧用綿の両側面に凹凸が形成されるように束ねて包装することを特徴とする化粧綿。
【請求項２】
５ｍｍ程度の厚みを有し、５．５ｍｍ×７ｍｍ程度の矩形状の化粧用綿であって、複数枚の化粧用綿を、包装用容器（３）に複数束を収納するに際し、一つの化粧用綿（１）とそれに隣接する化粧用綿（２）との一辺の位置を、交互にずらして化粧用綿の両側面に凹凸が形成されるように束ね、これらを並設して包装することを特徴とする化粧綿。
(57)【要約】      （修正有）【課題】本体の金属パイプ容器のイオン発生セラミックボール（天然放射性希土鉱石）の内部に磁石の磁場を通過させ、また磁場の衝撃でマイナスイオンを発生させ放出させることが可能なリンパ球疲労手当て器具の提供。【解決手段】プラスチック本体１にセラミック金属パイプ容器２（マイナスイオン発生セラミックボール２ａ内蔵）と頭部３（温光源内蔵）、充電電池４、充電用電極接点５，６、電源スイッチ７から構成されたリンパ球疲労手当て器具。真鍮パイプの中央部にイオン発生セラミックボールを投入し左右両端をＳ極とＮ極の磁石でふたをしてイオン発生セラミックの内部を通過する磁場の衝撃で発生したマイナスイオンを頭部に集め放射してリンパ球疲労手当てを助ける効果がある。【選択図】図１
0003129774.tif 000002
【実用新案登録請求の範囲】
【請求項１】
金属パイプの中央部分にマイナスイオン天然放射性希土鉱石粉と磁器粉を混合しセラミック化したマイナスイオン発生セラミックボールを入れてボールより小さい穴の開いたＳ極とＮ極の磁石で金属パイプの両端をふたした、マイナスイオン発生セラミックボールと磁石を組み合わせたリンパ球疲労手当て器具。
【考案の詳細な説明】
【技術分野】
【０００１】  本考案は本体容器パイプにマイナスイオン発生セラミックボールを投入しパイプの両端を磁石で蓋をしたリンパ球の疲労手当て器具に関する。
【背景技術】
【０００２】  従来はマイナスイオン鉱石と磁石の組み合わせた疲労手当て器具はなかつた。
【考案の開示】
【考案が解決しようとする課題】
【０００３】  イオン発生セラミックボールの内部を如何に磁石の磁場を通過させ、磁場の衝撃でマイナスイオンを発生させ放出するかが課題である。
【課題を解決するための手段】
【０００４】  パイプ容器にイオン発生セラミックボールを入れ前後にセラミックボールの内部に磁場が通過しやすくするため穴の開いたプラス、マイナス極の磁石で蓋をする、又磁場によって容器が磁化しないように材料を真鍮か銅を使用する。
【考案の効果】
【０００５】  本考案はイオン発生セラミック特有のマイナス電極を蓄えた電子（マイナスイオン）を磁石のマイナス極とプラス極ではさみ電子（マイナスイオン）を磁石による反発力と吸着力を利用して電子（マイナスイオン）に衝撃をあたえて強力な電子（マイナスイオン）放射を高め、また器具の先頭を熱光源によってほのかに温め、皮膚への快度を保たせて、リンパ球活動の疲労手当ての補助効果をあげる。
【考案を実施するための最良の形態】
【実施例】
【０００６】  本考案の図面に従って説明する、（図１）はリンパ球疲労手当て器具の構造断面図で１プラスチック本体に２セラミック容器に２ａイオン発生セラミックボールを投入し２ｃのＣ磁石と２ｂのＢ磁石で蓋をして１プラスチック本体に組み込む。【０００７】  ４充電電池の４ａプラス電極と４ｂマイナス電極により３頭部を温光源で低温加熱する、又４充電電池は５プラス接点と６マイナス接点により専用充電器により充電可能で使用時は７電源スイッチの８ツマミを押しながら使用します。【０００８】  （図２）セラミック容器断面図に従って動作説明する、２真鍮パイプに２ａイオン発生セラミックボールを投入し２ｂのＢ磁石の２ｂ２、Ｎ極を磁場入力側のセラミック側へ２ｂ１、Ｓ極を外側に２ｃのＣ磁石の２ｃ１、Ｓ極をセラミックス側へ２ｃ２、Ｎ極を外側にして２真鍮パイプの両側を蓋しますと２ｂのＢ磁石から２ｃのＣ磁石に向かって矢印のように磁場が起こり２ａイオン発生セラミックの内部を通過し磁気との衝撃によりイオンのマイナス電子が放出され２ｃのＣ磁石Ｓ極側に移動し中央の穴から出力され頭部から放出される。
【図面の簡単な説明】
【０００９】
【図１】  リンパ球疲労手当て器具の構造断面図
【図２】  セラミック容器断面図
【符号の説明】
【００１０】  １      プラスチック本体
２      セラミック容器
２ａ    イオン発生セラミックボール
２ｂ    Ｂ磁石
２ｂ１  Ｓ極
２ｂ２  Ｎ極
２ｃ    Ｃ磁石
２ｃ１  Ｓ極
２ｃ２  Ｎ極
３      頭部
４      充電電池
４ａ    プラス電極
４ｂ    マイナス電極
５      プラス接点
６      マイナス接点
７      電源スイッチ
７ａ    ツマミ
【図１】
0003129774.tif 000003
【図２】
0003129774.tif 000004
(57)【要約】      （修正有）【課題】従来の使い捨てカイロ収納用のミトン型手袋は手首から指先までを覆うため、全体的にかさばり作業効率に欠点があった。そこで、冬場の屋内外における作業や活動等それぞれの状況に応じた使い分けを可能にする手袋を提供する。【解決手段】５指用手袋で手の平と親指を除く４指部だけを覆う伸縮性カバーに使い捨てカイロ収納部を設け、カバー開口部の甲部分を５本指手袋の甲部に連結し、カバー開口部とカバー先端部は面テープで甲部と接続し脱着可能にする。カバー非使用時の甲部はカイロで常時保温状態となりカバー使用時は５本指手袋の４指部に被せ指先を集中的に保温できる仕様とする。【選択図】図１
0003129771.tif 000002
【実用新案登録請求の範囲】
【請求項１】
５指用手袋の甲部とカイロ収納部を設けた半楕円形の伸縮生カバーの開口部の甲部を連結し、カバー先端部と開口部は面テープで手袋甲部と接続した手袋で、面テープを外して親指を除く４指にカバーを被せる仕様から成る指先保温カバー付手袋
【考案の詳細な説明】
【技術分野】
【０００１】本考案の技術分野は手袋に属する
【背景技術】
【０００２】本考案の属する技術分野である手袋で防寒保温用としての背景技術は、手袋全体をミトン型手袋で覆う技術、手袋そのものを３重構造にしてカイロを収納する技術等がありそれらはいずれも手全体を覆うものである。
【考案の開示】
【考案が解決しようとする課題】
【０００３】しかしながら、従来の使い捨てカイロ収納用のミトン型手袋は手首から指先までを覆うため、全体的にかさばり作業効率に欠点があった。冬場の屋内外における手の動と静それぞれの状況に応じた使い分けを可能にする手袋を提供することを課題とする。
【課題を解決するための手段】
【０００４】手の平と親指を除く４指部だけを覆う伸縮性カバーに使い捨てカイロ収納部を設け、カバー開閉口の甲部部分を５本指手袋の甲部と連結し、カバー先端部と開口部は甲部と面テープで接続し使用時はカバーを５本指手袋の４指部に被せる仕様とする。
【考案を実施するための最良の形態】
【０００５】以下、この考案の実施の形態を図面を参照して説明する【０００６】図１ー１に示すように４指だけ挿入する伸縮性カバーの内部に使い捨てカイロ用の収納部を設ける。使い捨てカイロは開口部から出し入れする。【０００７】図１に示すように５本指手袋の甲部と４指用伸縮性カバーの甲部を連結し、カバーの先端部と開口部は面テープで脱着可能にし、使用時は面テープを外してカバー全体を４指に被せる。
【考案の効果】
【０００８】本考案は５本指手袋の４指部にカイロ収納の伸縮性カバーを被せることで集中的に指先に温熱効果をもたらすことが出来、さらにカバーがコンパクトな形で手袋に付随していることから、冬場の屋内外における活動や作業性の効率を高めた。
【図面の簡単な説明】
【０００９】
【図１】本件考案の指先カバー付き手袋の甲部概略図
【図２】本件考案の前部装着図
【符号の説明】
【０００１０】１，カイロ収納部
２，４指用カバー
３，手袋本体
４，甲部接続部
５，面テープ取付部
【図１】
0003129771.tif 000003
【図２】
0003129771.tif 000004